(57)【要約】【課題】ノイズの発生を抑えると共に、ユーザにとり快適な風量の空気を吹き出すエアコンシステムを提供する。【解決手段】エアコンユニット３０から送風される空気を吹き出す空調用レジスタ４０と、エアコンＥＣＵ２０とを有するエアコンシステム１において、空調用レジスタ４０に、エアコンユニット３０から送風される空気が流れる空気流路４１ａと、空気流路４１ａに連通して空気を吹き出す吹出口４０ｂと、空気流路４３の断面積を可変する可動ダンパ４２とを設け、エアコンＥＣＵ２０が、エアコンユニット３０から送風する風量レベルに応じて、可動ダンパ４２を動作させ、空気流路４１ａの断面積を調整する。【選択図】図１
2009286270.tif 000002
【特許請求の範囲】
【請求項１】
空調機器から送風される空気が流れる空気流路及び該空気流路に連通して該空気を吹き出す吹出口が形成された略筒状の本体部と、該空気流路の断面積を可変する可動ダンパとを有する空調用レジスタと、
前記可動ダンパの動作を制御する制御手段とを備え、
前記制御手段は、前記空調機器が送風する風量レベルに応じて、前記可動ダンパを動作させ、前記空気流路の断面積を調整することを特徴とする空調システム。
【請求項２】
前記制御手段は、所定の風量レベル毎に、前記空気流路の開閉割合を示す情報を対応付けた風量データを保持しており、ユーザからの各種設定、および温度センサおよび日射センサからのセンサ信号の入力を受け付け、該受け付けた各種設定および該センサ信号を用いて、前記空調機器が送風する風量レベルを求めると共に、前記求めた風量レベルおよび前記風量データに基づいて前記空気流路の開閉割合を決定し、該決定した開閉割合になるように前記可動ダンパを制御することを特徴とする請求項１に記載の空調システム。
【請求項３】
前記本体部の側面部には開口部が形成され、
前記本体部の内筒面には、前記開口部の一端縁から前記本体部の軸方向と直交方向に延びるガイドレールが形成され、
前記可動ダンパは、略箱状に形成されると共に、前記開口部から挿入され、前記ガイドレールに摺動自在に支持され、該ガイドレールに沿って往復移動することにより、前記本体部の空気流路の断面積を可変することを特徴とする請求項１又は請求項２に記載の空調システム。
【請求項４】
空調機器から送風される空気が流れる空気流路と、該空気流路に連通して該空気を室内に吹き出す吹出口とを備える略筒状の本体部を備える空調用レジスタであって、
前記本体部の側面部に形成された開口部と、
前記開口部から挿入される略箱状の可動ダンパとを有し、
前記本体部の内筒面には、前記開口部の一端縁から前記本体部の軸方向と直交方向に延びるガイドレールが形成され、
前記可動ダンパは、前記ガイドレールに摺動自在に支持され、該ガイドレールに沿って往復移動することにより、前記本体部の空気流路の断面積を可変することを特徴とする空調用レジスタ。
【発明の詳細な説明】
【技術分野】
【０００１】
本発明は、空調システム及び空調用レジスタに関し、例えば、エアコンユニットから吹き出される風量を調整する空調システム及び空調用レジスタに関する。
【背景技術】
【０００２】
自動車等の乗り物に搭載されているエアコンシステムは、エアコンユニット（ブロアファン、エバポレータ、ヒータコア、コンプレッサ、コンデンサ等により構成される）と、エアコンユニットに接続されるダクトと、ダクトに取り付けられ空調用レジスタと、エアコンユニットの動作を制御する制御装置（エアコンＥＣＵ等）とを備えている。エアコンユニットからの空気は、エアコンユニットに接続されたダクトを経由し、インストルメントパネル等に取り付けられた空調用レジスタの吹出口から吹き出される。
また、エアコンシステムは、一般的に、室内の温度、室外の温度、ユーザから設定された温度等により、送風する空気の風量レベルを決定し、その決定した風量レベルの空気が送風されるようにブロアファンやコンプレッサ等を制御している。
【０００３】
そして、従来から、空調用レジスタには、手動による操作により、吹出口から吹き出される空気の風量を調整する機能を備えたものが知られている（例えば、特許文献１）。
ここで、特許文献１に開示された従来技術による空調用レジスタの構成について図６を用いて説明する。
【０００４】
図６は、従来技術による空調用レジスタを示した斜視図である。
図示するように、空調用レジスタ２００は、上流から下流に向かって（Ｘ１方向に向かって）空気を通過させることが可能な略筒状の本体部２０１を備える。本体部２０１は、その内部下流側に、複数の風向偏向板２０２が回動可能に支持されている。また、空調用レジスタ２００は、本体部２０１の内部の風向偏向板２０２の上流側に位置するように、エアダンパとしてのシャットダンパ２０３が縦方向（図示するＺ方向）へ延びる回動軸２０６を中心に回動可能に支持されている。
さらに、本体部２０１の前面部には、シャットダンパ２０３の動作を制御する操作ダイヤル２０４が設けられている。
【０００５】
上述したシャットダンパ２０３は、操作ダイヤル２０４を回動操作させることにより、図示しない歯車伝達機構等を介して開放位置と閉鎖位置との間で回動される。これにより、本体部２０１内の空気流路が、開放または閉鎖されるようになされている。
ユーザは、操作ダイヤル２０４を回動操作して、本体部２０１内の空気流路の開閉割合を調整することにより、空調用レジスタの吹出口から吹き出される空気の風量を調整する。
【特許文献１】特開２００３−１８２３５０号公報
【発明の開示】
【発明が解決しようとする課題】
【０００６】
しかしながら、上述した従来技術によるエアコンシステムは以下に示す技術的課題を有している。
具体的には、上述した従来技術のエアコンシステムに用いられる空調用レジスタは、ユーザが手動で操作したシャットダンパにより、空調用レジスタの空気流路の断面積が設定される。そのため、エアコンユニットから吹き出される風量が大きい場合に、シャットダンパにより空気流路が狭められていれば（空気流路の断面積が狭められていれば）、シャットダンパよりも上流での風速が強まり、空調用レジスタの吹出口に設けられたフィンによるノイズ（風切り音）が大きくなるという技術的課題を有している。また、この場合、吹出口からの風速が強すぎてユーザに不快感を与えてしまう。
また、エアコンユニットから吹き出される風量が少ない場合に、シャットダンパが空気流路の断面積を拡げていれば、吹出口からの風速が弱くなり過ぎてしまう（例えば、冷房運転の際、風速が弱すぎて清涼感に欠ける）。
【０００７】
本発明は、上記の技術的課題を解決するためになされたものであり、ノイズの発生を抑えると共に、ユーザにとり快適な風量の空気を吹き出すことができる空調システムを提供することを目的とする。
【課題を解決するための手段】
【０００８】
上記課題を解決するために本発明は、空調システムにおいて、空調機器から送風される空気が流れる空気流路及び該空気流路に連通して該空気を吹き出す吹出口が形成された略筒状の本体部と、該空気流路の断面積を可変する可動ダンパとを有する空調用レジスタと、前記可動ダンパの動作を制御する制御手段とを備え、
前記制御手段は、前記空調機器が送風する風量レベルに応じて、前記可動ダンパを動作させ、前記空気流路の断面積を調整することを特徴とする。
【０００９】
このように本発明によれば、空調機器が送風する風量レベルに応じて、可動ダンパを制御して空気流路の断面積を調整するようにしている。
そのため、例えば、空調機器が送風する風量レベルが小さい場合に、空気流路の断面積を狭めるようにすれば、空調用レジスタの吹出口からの吹き出される空気の風速を上げることができる。その結果、空調機器が送風する風量レベルが小さくてもユーザにとり快適な風（パンチ力がある風）を吹き出すことができるようになる。
また、例えば、空調機器が送風する風量レベルが大きい場合に、空気流路の断面積を広げるようにすれば、空調用レジスタの吹出口から発生するノイズを軽減することができる。また、この場合、吹出口から風速が強過ぎる空気が流れることを防止できる。
【００１０】
また、前記制御手段は、所定の風量レベル毎に、前記空気流路の開閉割合を示す情報を対応付けた風量データを保持しており、ユーザからの各種設定、および温度センサおよび日射センサからのセンサ信号の入力を受け付け、該受け付けた各種設定および該センサ信号を用いて、前記空調機器が送風する風量レベルを求めると共に、前記求めた風量レベルおよび前記風量データに基づいて前記空気流路の開閉割合を決定し、該決定した開閉割合になるように前記可動ダンパを制御することが望ましい。
【００１１】
このように、本発明によれば、制御手段に、予め、所定の風量レベル毎に、前記空気流路の開閉割合を示す情報を対応付けた風量データを保持させるようにしている。そして、ユーザからの各種設定（温度設定、冷房暖房設定、風量設定等）およびセンサ信号に応じて求めた風量レベルと、予め保持していた風量データとにより前記空気流路の開閉割合を決定し、その開閉割合になるように前記可動ダンパを制御している。
そのため、本発明によれば、ユーザからの各種設定（温度設定等）および温度信号から求めた風量レベルに応じて、ノイズが抑制されると共に、最適な風量を吹き出すことができるように空気流路の断面積を調整することができる。
【００１２】
また、前記本体部の側面部には開口部が形成され、前記本体部の内筒面には、前記開口部の一端縁から前記本体部の軸方向と直交方向に延びるガイドレールが形成され、前記可動ダンパは、略箱状に形成されると共に、前記開口部から挿入され、前記ガイドレールに摺動自在に支持され、該ガイドレールに沿って往復移動することにより、前記本体部の空気流路の断面積を可変することが望ましい。
このように、本発明の可動ダンパは、略箱状に形成されていると共に、開口部の一端縁から前記本体部の軸方向と直交方向に延びるガイドレールに支持されているため、空気流路を流れる空気から受ける風圧により誤作動する可能性が低い。例えば、本発明の可動ダンパは、板状部材を回転させる回転式のダンパ（上述した特許文献１に記載のダンパの構成）に比べて、風圧により誤動作する可能性が低い。
したがって、本発明によれば、高精度に、空気流路の断面積の開閉割合の制御が可能になる。
【００１３】
また、本発明は、空調機器から送風される空気が流れる空気流路と、該空気流路に連通して該空気を室内に吹き出す吹出口とを備える略筒状の本体部を備える空調用レジスタであって、前記本体部の側面部に形成された開口部と、前記開口部から挿入される略箱状の可動ダンパとを有し、前記本体部の内筒面には、前記開口部の一端縁から前記本体部の軸方向と直交方向に延びるガイドレールが形成され、前記可動ダンパは、前記ガイドレールに摺動自在に支持され、該ガイドレールに沿って往復移動することにより、前記本体部の空気流路の断面積を可変することを特徴とする。
このように構成することにより、上述したように、高精度に、空気流路の断面積の開閉割合の制御が可能になる。そのため、空調機器から送風される空気の風量レベルに応じて、可動ダンパの位置を設定することにより、最適な風量を吹き出させることができる。
【発明の効果】
【００１４】
本発明によれば、ノイズの発生を抑えると共に、ユーザにとり快適な風量の空気を吹き出すことができる空調システムを提供することができる。
【発明を実施するための最良の形態】
【００１５】
以下、本発明の実施形態について、図面に基づいて説明する。
なお、本実施形態は、本発明が自動車に搭載されたエアコンシステムに適用されている場合を例にしている。
【００１６】
先ず、本実施形態のエアコンシステムの構成について図１を用いて説明する。
図１は、本実施形態のエアコンシステムのシステム構成図である。
図示するように、エアコンシステム１は、ユーザからの各種要求を受け付けたり、ユーザに各種情報を提供したりする表示操作部１０と、エアコンシステム１全体の動作を制御するエアコンＥＣＵ２０と、エアコンＥＣＵ２０からの制御信号に応じて動作するエアコンユニット３０と、エアコンユニット３０に接続されて空気流路を形成するダクト３５と、ダクト３５に取り付けられた空調用レジスタ４０とを備える。
ここで、エアコンＥＣＵ２０には、車室内の温度を検知する内気温センサ５１と、車室外の温度を検知する外気温センサ５２と、日射強度を検知する日射センサ５３とが接続されている。
また、空調用レジスタ４０は、ダクト３５を介して、エアコンユニット３０から送風される空気が流れる空気流路４１ａと、空気流路４１ａに連通して該空気を室内に吹き出す吹出口４１ｂとが形成された略筒状の本体部４１を備える。また、空調用レジスタ４０には、空気流路４１ａの断面積を可変する可動ダンパ４２が設けられている。
【００１７】
また、表示操作部１０とエアコンＥＣＵ２０とは、車載ＬＡＮ等を介して接続されており、相互にデータ通信が可能に構成されている。また、また、エアコンＥＣＵ２０とエアコンユニット３０とは、車載ＬＡＮ等を介して接続されており、相互にデータ通信が可能に構成されている。また、エアコンＥＣＵ２０と可動ダンパ４２とは、車載ＬＡＮ等を介して接続されており、相互にデータ通信が可能に構成されている。
なお、本実施形態は、図示するエアコンシステム１のうち、エアコンＥＣＵ２０および空調用レジスタ４０に特徴があり、エアコンＥＣＵ２０および空調用レジスタ４０以外は従来のものと同様である。そのため、以下では、エアコンＥＣＵ２０および空調用レジスタ４０以外の説明は簡略化している。
【００１８】
具体的には、表示操作部１０は、液晶ディスプレイおよび各種のハードスイッチ等により構成される。
表示操作部１０は、前記液晶ディスプレイに温度（室温や外気温）を表示したり、エアコンシステムへの運転指示、温度設定、モード設定等の各種要求を受け付けたりする。表示操作部１０は、前記受け付けた各種要求を示す情報をエアコンＥＣＵ２０に送信する。
【００１９】
エアコンＥＣＵ２０は、エアコンユニット３０の動作を制御するエアコン制御部２１と、空調用レジスタ４０の可動ダンパ４２の動作を制御する風量制御部２２と、外部機器（表示操作部１０、エアコンユニット３０、センサ５１、５２、５３）と間でデータ通信を行う通信処理部２３とを有する。
なお、エアコンＥＣＵ２０のハードウェア構成について特に限定されるものではないが、例えば、エアコンＥＣＵ２０に、ＣＰＵ、メモリ、および各種インタフェース（Ｉ／Ｏインタフェース、ネットワークインタフェース等）を備えるコンピュータを用いることができる。この場合、前記メモリに、エアコン制御部２１、風量制御部２２、および通信処理部２３の機能を実現するためのプログラムを格納しておく。
そして、エアコンＥＣＵ２０の各部（エアコン制御部２１、風量制御部２２、および通信処理部２３）の機能は、前記ＣＰＵが前記メモリに格納された前記プログラムを実行することにより実現される。
【００２０】
具体的には、エアコン制御部２１は、通信処理部２３を介して、表示操作部１０からの各種要求を示す情報を受け付けると共に、各種センサ５１、５２、５３からのセンサ信号（室内温度を示す情報、室外温度を示す情報、日射量を示す情報）を受け付ける。
エアコン制御部２１は、前記受け付けた各種要求を示す情報（例えば、設定温度）と、前記受け付けたセンサ信号とを用いて、エアコンユニット３０の動作制御情報を求める。そして、エアコン制御部２１は、通信処理部２３を介して、前記求めた動作制御情報をエアコンユニット３０に出力する。
なお、前記動作制御情報には、「エアコンユニット３０のブロアファンの出力（ブロア出力（０〜１３．５≡））、エアミックス開度、コンプレッサ出力（０％〜１００％）、内外気の切替え、およびモード情報等」が含まれる。
また、前記ブロアファンの出力（ブロア出力）により、エアコンユニット３０が送風する空気（冷風や温風）の風量が定まる。
【００２１】
風量制御部２２は、エアコンユニット３０が送風する空気（冷風や温風）の風量レベルに応じて、空調用レジスタ４０の可動ダンパ４２を動作させ、空調用レジスタ４０の空気流路４１ａの断面積を調整する。
具体的には、風量制御部２２は、所定の風量レベル（ブロア出力の値）毎に、空調用レジスタ４０の空気流路４１ａの開閉割合を示す情報を対応付けた風量データを保持している。
なお、前記開閉割合を示す情報（開閉情報）は、例えば、可動ダンパ４２が空気流路４１ａを全開にした状態を「１００％」として、可動ダンパ４２が空気流路４１ａを完全に閉鎖した状態を「０％」とする。また、前記開閉情報は、例えば、空気流路４１ａを半分だけ開放している状態を「５０％」とする。また、空気流路４１ａを「１／４」だけ開放している状態を「２５％」とする。
【００２２】
そして、風量制御部２２は、エアコン制御部２１が求めた動作制御情報のなかの「ブロア出力」と、上記の「風量データ」とを用いて、空調用レジスタ４０の空気流路４１ａの開閉割合を決定する。また、風量制御部２２は、前記決定した開閉割合になるように可動ダンパ４２を制御する制御情報を生成する。風量制御部２２は、通信処理部２３を介して、前記生成した制御信号を空調用レジスタ４０に出力し、前記決定した開閉割合になるように可動ダンパ４２を制御する。
【００２３】
ここで、前記風量データは、特に限定されるものではないが、例えば、以下のように構成されたデータを用いることができる。
具体的には、前記風量データは、最大の風量レベル（最大のブロア出力レベル）に、空気流路４１ａの断面積が最大となる開閉情報（例えば、１００％）が対応付けられ、最大の風量レベルの「１／２」の風量レベルには、空気流路４１ａの断面積が全開状態の「１／２」となる開閉情報（例えば、５０％）が対応付けられている。また、最大の風量レベルの「１／４」の風量レベルには、空気流路４１ａの断面積が全開状態の「１／４」となる開閉情報（例えば、２５％）を対応付けられている。
【００２４】
上記のように風量データを構成しておけば、風量制御部２２は、エアコンユニット２０が送風する風量レベルが小さい場合に、空調用レジスタ４０の可動ダンパ４２を制御し、空気流路４１ａの断面積を狭めるようになる。これにより、エアコンユニット３０が送風する風量レベルが小さくても、ユーザにとり快適な風量の風（パンチ力がある風）を吹き出すことができる。
また、風量制御部２２は、エアコンユニット３０が送風する風量レベルが大きい場合に、空調用レジスタ４０の可動ダンパ４２を制御し、空気流路４１ａの断面積を広げるようになる。これにより、エアコンユニット３０が送風する風量レベルが大きい場合に、空調用レジスタ４０の吹出口４１ｂから発生するノイズを軽減することができる。また、この場合、吹出口４１ｂから風速が強過ぎる空気が流れることを防げる（ユーザに不快感を与えることを防止できる）。
【００２５】
つぎに、エアコンユニット３０について説明する。
エアコンユニット３０は、ブロアファン、エバポレータ、ヒータコア、コンプレッサ、コンデンサ等により構成され、エアコンＥＣＵ２０からの上記の動作制御情報にしたがい駆動してダクト３５に冷風や温風を送風する。
なお、エアコンユニット３０は、上述の通り、公知の技術により実現されるものであるためここでの説明は省略する。
【００２６】
つぎに、空調用レジスタ４０について説明する。
空調用レジスタ４０は、エアコンＥＣＵ２０からの制御信号にしたがい、可動ダンパ４２を動作させる。
なお、空調用レジスタ４０は、エアコンＥＣＵ２０からの制御信号にしたがい、モータやモータ制御回路等により構成される駆動手段により可動ダンパ４２を動作させて空気流路４１ａの断面積を調整することができるものであればどのような構成のものでもかまわないが、本実施形態では、図２及び図３に示す構成の空調用レジスタ４０を用いる。
以下、図２及び図３に基づいて空調用レジスタ４０の構成について説明する。
【００２７】
図２は、本実施形態の空調用レジスタの斜視図である。また、図３は、本実施形態の空調用レジスタの上面図である。なお、空調用レジスタ４０の内部には、Ｘ１方向の空気が流れるものとする。
【００２８】
図示するように、空調用レジスタ４０は、ダクト３５を介して、エアコンユニット２０から送風される空気が流れる空気流路４１ａと、空気流路４１ａに連通して該空気を室内に吹き出す吹出口４１ｂとを備える略矩形筒状の本体部４１を備える。
具体的には、図２に示すように、本体部４１は、一端部側４１ｃから他端部側４１ｄを貫通する貫通孔を有し、この貫通孔が空気流路４１ａを形成している。また、本体部４１は、一端部側４１ｃにダクト３５が接続され、他端部側４１ｄに吹出口４１ｂが形成されている。
また、本体部４１は、その内部の下流側（噴出口４１ｂ側）に、複数の風向偏向板４０２（図２には示さず（図３参照））が回動可能に支持されている（風向偏向板４０２は、従来のものと同様である）。
【００２９】
また、本体部４１の内部にある風向偏向板４０２（図３参照）の上流側には、スライド式エアダンパである、略箱状に形成された可動ダンパ４２が設けられている。
この可動ダンパ４２は、本体部４１の側面部４１０ａに形成された矩形状の開口４１１に挿入されたり、開口４１１から引き出されたりすることにより、本体部４１の空気流路４１ａの断面積を調整する。
【００３０】
具体的には、本体部４１の外部側から内部側に向かって、前記側面部４１０の開口４１１の下端を通って、本体部４１の底面部４１０ｂに延びるガイドレール４０５が設けられている。なお、このガイドレール４０５は、空気流路４１ａと直交する方向（本体部４１の軸方向と直行する方向（Ｙ方向））に延設されている。
また、可動ダンパ４２は、略箱状の底面部がガイドレール４０５に係合して摺動自在に支持されると共に、モータ等により構成された駆動手段（図２には示さず）により、ガイドレール４０５に沿って、空気流路４１ａと直交する方向（Ｙ方向）を往復移動する。
【００３１】
そして、可動ダンパ４２が、本体部４１の内部側に挿入されることにより（Ｙ１方向にスライドさせることにより）、空気流路４１ａが絞られる。また、可動ダンパ４２が、開口４１１から本体部４１の外部側に引き出されることにより（Ｙ２方向にスライドさせることにより）、空気流路４１ａが広げられる。
なお、上記の駆動手段の構成はどのようなものでもよいが、例えば、図３に示すように、駆動手段が、サーボモータ（図示せず）と、該サーボモータを駆動させる回路（図示せず）と、該サーボモータにより回転するギア４０７と、可動ダンパ４２の側面部に形成されたギア溝４２１（ギア４０７にかみ合うようになされているギア溝４２１）とにより構成されていてもよい。この構成により、駆動手段は、サーボモータを駆動させてギア４０７を回転させることにより、可動ダンパ４２をガイドレール４０５に沿って往復移動させることができる。
【００３２】
そして、上記のように構成された空調用レジスタ４０は、図４に例示するように、自動車の車室内のインストルメントパネルＩに取り付けられ、エアコンユニット２０からの空気（冷風や温風）を車室内に吹き出す。
具体的には、図示するように、インストルメントパネルＩには、複数の空調用レジスタ４０ａ、４０ｂ、４０ｃ、４０ｄが取り付けられている。
そして、本実施形態では、エアコンシステム１が、最適な風量を吹き出されるように空調用レジスタ４０の空気流路４１ａの断面積を調整するため、ユーザが空調用レジスタ４０を手動で操作して調整する必要がない。すなわち、本実施形態によれば、ユーザに面倒な操作を強いることなく（ユーザは、複数ある空調用レジスタ４０の各々について操作を行う必要がない）、快適な空調空間を実現することができる。
【００３３】
次に、本実施形態の空調用レジスタ４０の動作を説明する。
図５は、本実施形態の空調用レジスタの可動ダンパの動作を説明するための空調用レジスタの上面図である。
ここで、図５（ａ）は、空調用レジスタ４０の空気流路４１ａが全開の状態（１００％開放した状態）を示し、図５（ｂ）は、空調用レジスタ４０の空気流路４１ａが「７５％（全開の７５％）」開放された状態を示している。また、図５（ｃ）は、空調用レジスタ４０の空気流路４１ａが「２５％（全開の２５％）」開放された状態を示している。また、図５（ｄ）は、空調用レジスタ４０の空気流路４１ａが遮断された状態を示している。なお、図中の矢印は空気の流れを示している。
【００３４】
具体的には、エアコンＥＣＵ２０の風量制御部２２は、エアコン制御部２１が求めた「ブロア出力」が最大値である場合、空調用レジスタ４０の空気流路４１ａを全開（開口状態１００％）にする制御信号を生成し、その制御信号を空調用レジスタ４０に出力する。空調用レジスタ４０は、前記制御信号を受信すると、図５（ａ）に示す位置に可動ダンパ４２をガイドレール４０５（図２、図３参照）に沿ってスライドさせて空気流路４１ａを全開にする。
【００３５】
また、エアコンＥＣＵ２０の風量制御部２２は、エアコン制御部２１が求めた「ブロア出力」が最大出力の「７５％」の値である場合、空調用レジスタ４０の空気流路４１ａの開口状態を７５％にする制御信号を生成し、その制御信号を空調用レジスタ４０に出力する。空調用レジスタ４０は、前記制御信号を受信すると、図５（ｂ）に示す位置に可動ダンパ４２をガイドレール４０５（図２、図３参照）に沿ってスライドさせて空気流路４１ａを「７５％」開放する。
【００３６】
また、エアコンＥＣＵ２０の風量制御部２２は、エアコン制御部２１が求めた「ブロア出力」が最大出力の「２５％」の値である場合、空調用レジスタ４０の空気流路４１ａの開口状態を２５％にする制御信号を生成し、その制御信号を空調用レジスタ４０に出力する。空調用レジスタ４０は、前記制御信号を受信すると、図５（ｃ）に示す位置に可動ダンパ４２をガイドレール４０５（図２、図３参照）に沿ってスライドさせて空気流路を「２５％」開放する。
【００３７】
また、エアコンＥＣＵ２０の風量制御部２２は、エアコン制御部２１が求めた「ブロア出力」が最小値である場合、空調用レジスタ４０の空気流路の閉鎖する制御信号を生成し、その制御信号を空調用レジスタ４０に出力する。空調用レジスタ４０は、前記制御信号を受信すると、図５（ｄ）に示す位置に可動ダンパ４２をガイドレール４０５（図２、図３参照）に沿ってスライドさせて空気流路４１ａを閉鎖する。
【００３８】
このように、本実施形態によれば、エアコンユニット３０が送風する空気（冷風や温風）の風量レベルに応じて、空調用レジスタ４０の可動ダンパ４２を制御して、空調用レジスタ４０の空気流路の断面積を調整するようにしている。
具体的には、本実施形態では、エアコンユニット３０が送風する風量レベルが小さい場合に、空調用レジスタ４０の空気流路の断面積を狭めるようにしている。そのため、本実施形態によれば、エアコンユニット３０から送風される風量レベルが小さくてもユーザにとり快適な風量の風を吹き出すことができる。
【００３９】
また、本実施形態によれば、エアコンユニット３０から送風される風量レベルが大きい場合に、空調用レジスタ４０の空気流路の断面積を広げるようにしている。そのため、本実施形態によれば、エアコンユニット３０から送風される風量レベルが大きい場合に、空調用レジスタ４０の吹出口４０ｂから発生するノイズを低減することができる。また、この場合、空調用レジスタ４０の吹出口４０ｂから風速が強過ぎる空気が流れることを防止できる。
【００４０】
また、本実施形態の可動ダンパ４２は、略箱状に形成されていると共に、空調用レジスタ４０の空気流路４１ａと直交方向に延びるガイドレール４０５に支持されているため、横から受ける荷重（Ｘ１方向の荷重）に強い。したがって、可動ダンパ４２は、空気流路４１ａを流れる風量レベルが大きい場合であっても、風圧により誤作動する可能性が低い（板状部材を回転させる回転式のダンパに比べて、風圧により誤動作する可能性が低い）。
そのため、本実施形態の空調用レジスタ４０によれば、高精度に、空気流路の断面積の開閉割合の制御が可能になる。
【００４１】
なお、本発明は、上記実施形態に限定されるものではなくその要旨の範囲内において、種々の変形が可能である。
【００４２】
例えば、上記実施形態では、エアコンユニット２０の送風する空気（冷風や温風）の風量レベルに応じて、空調用ダクト４０の空気流路４１ａの断面積を可変するようにしているが、以下のような制御を付加するようにしてもよい。
具体的には、エアコンユニット２０の風量レベルに応じて、可動ダンパ４２の開閉割合を所定周期で変化させてゆらぎ制御を行うようにしてもよい。
【００４３】
また、上述した図２および図３に示した可動ダンパ４２の構成は、あくまでも例示である。例えば、ガイドレール４０５が本体部４１の内筒側の底面部４１０ｂではなく、上面部側に形成されていてもよい。
【００４４】
また、例えば、本実施形態では、エアコンＥＣＵ２０がコンピュータにより実現される場合を例にしたが、特にこれに限定されるものではない。例えば、エアコンＥＣＵ２０は、上述した各部（エアコン制御部２１、風量制御部２２、通信処理部２３）の機能を実現するために専用に設計されたハードウェア回路（例えば、「Application Specific Integrated Circuit」）を備える装置により構成されていてもよい。
【図面の簡単な説明】
【００４５】
【図１】本発明の実施形態のエアコンシステムのシステム構成図である。
【図２】本発明の実施形態の空調用レジスタの斜視図である。
【図３】本発明の実施形態の空調用レジスタの上面図である。
【図４】本発明の実施形態の空調用レジスタが取り付けられた車室内のインストルメントパネルの斜視図である。
【図５】本発明の実施形態の空調用レジスタの可動ダンパの動作を説明するための空調用レジスタの上面図である。
【図６】従来技術による空調用レジスタを示した斜視図である。
【符号の説明】
【００４６】
１…エアコンシステム
１０…表示操作部
２０…エアコンＥＣＵ
２１…エアコン制御部
２２…風量制御部
２３…通信処理部
３０…エアコンユニット
４０…空調用レジスタ
４１…本体部
４１ａ…空気流路
４１ｂ…吹出口
４２…可動ダンパ
５１…内気温センサ
５２…外気温センサ
５３…日射センサ
４０２…風向偏向板
４１０ａ…側面部
４１０ｂ…底面部
４０５…ガイドレール
４１１…開口
【図１】
2009286270.tif 000003
【図２】
2009286270.tif 000004
【図３】
2009286270.tif 000005
【図４】
2009286270.tif 000006
【図５】
2009286270.tif 000007
【図６】
2009286270.tif 000008